【事件の表示】
　特願２００１−２５１９０１号「塗布用ねじりブラシ」拒絶査定不服審判事件〔平成１５年３月４日出願公開、特開２００３−６１７４７〕について、次のとおり審決する。
【結　論】
　本件審判の請求は、成り立たない。
【理　由】
１　手続の経緯
　本願は、平成１３年８月２２日の出願であって、平成２３年６月２７日付けで拒絶理由が通知され、同年９月２日に明細書についての補正がされ、同年９月１６日付けで拒絶査定がされ、これに対し、同年１２月２８日に拒絶査定不服審判の請求がされたものである。
　
２　本願発明
　本願の請求項１に係る発明は、平成２３年９月２日付けの手続補正書により補正された明細書の、特許請求の範囲の請求項１に記載された事項により特定される、以下のとおりのものである（以下、「本願発明」という。）。
　「【請求項１】　ねじられた芯材に保持された多数の毛材が、芯材周囲に放射状に突出するブラシ部を前端側に設けたブラシ本体と、前記ブラシ部に毛材を押し退けるように進入して、進入部分に近い前記ブラシ部の毛材部分を高密度となし、進入部分から離れた前記毛材部分は低密度となす進入部材を一体的に設けた、芯材を支持する支持軸とから構成した塗布用ねじりブラシ。」
　
３　引用刊行物
（１）原査定の拒絶の理由に引用された、本願出願前に頒布された刊行物である実願昭６０−１４７３５１号（実開昭６２−５８５１５号）のマイクロフィルム（以下、「刊行物１」という。）には、図面と共に次の事項が記載されている。
（ア）「口部に払拭パッキン体を有するマスカラ瓶に出入させて使用するマスカラ塗布具において、軸体の先端部に、中央から外方へ放射状に伸びる毛体を有するブラシを設け、このブラシの周端近くに軸方向に伸びる仕切部材を設けてブラシの毛先面を２以上の部分に仕切り、この各部分に、幅、仕切部材からの毛先の突出凹陥程度または毛体の密度の異つたものを設け、各部分を使い分けることによりマスカラの塗着量を変えることができるようにしたマスカラ塗布具。」（明細書１頁５〜１５行）
（イ）「産業上の利用分野
　本考案はマスカラ塗布具、特に、ブラシを用い、使用部所を選択することによりマスカラの塗着量を加減することのできるマスカラ塗布具に関する。」（同１頁１７行〜２頁１行）
（ウ）「第１図、第２図は第１実施例のマスカラ塗布具10を示す。この塗布具10は軸体11の先端にブラシ12を設け、さらにこのブラシ12の周端近くに２本の棒状の仕切部材13，14を設けたものである。このブラシ12は、毛体を２本の針金の間に挾み、針金を捩つて固定したものであり、毛体は中心から外方へ放射状に伸びている。」（同４頁１８行〜５頁４行）
（エ）「第４図は第３実施例のマスカラ塗布具30を示す。この塗布具30では、ブラシ31の周端近くに２本の仕切部材32，33を設けたものである。この仕切部材32，33は毛先面を幅の等しい２つの部分34，35に仕切り、ブラシ31の毛体は一方の部分35により多く集められ、毛体の密度が高められている。
　この塗布具30をマスカラ瓶に入れマスカラＭを付着させると、毛体の密度の差異に応じて両部分34，35のマスカラ付着量が異なり、塗布した際の塗着量が異なる。毛体の密度とマスカラの付着量の関係は複雑であり、一概に述べることはできないが、毛体間に若干の空隙があるような密度のときマスカラ付着量は最大となり、この状態より密度が大きくなって、小さくなつても付着量は減少する傾向がある。」（同６頁１７行〜７頁１２行）
　
（オ）第４図の記載から、中心から外方へ放射状に伸びる毛体について、仕切部材32に隣接する図面上の上側２本の毛体と、仕切部材33に隣接する図面上の上側２本の毛体がそれぞれ外方へ伸びるにつれて上方に向かう湾曲形状であること、及び、残りの毛体は直線形状であることが窺える。
　
　刊行物１のマスカラ塗布具は、ブラシによりマスカラを塗着するものであるから、そのブラシを構成する毛体が多数であることは明らかである。
　そして、この毛体が多数であることと記載事項（ウ）の「このブラシ12は、毛体を２本の針金の間に挟み、針金を捩つて固定したものであり、毛体は中心から外方へ放射状に伸びている。」の記載とを併せてみて、ブラシ12は「捩られた針金に固定された多数の毛体が、針金周囲に放射状に伸びる部分」（以下、「ブラシ要素」という。）を有しているといえる。
　
　図示内容（オ）から、２つの仕切部材32，33は、それぞれブラシ要素に毛体を押し退けるように進入しており、かつ、仕切部材32に隣接する図面上の上側２本の毛体が存在する部分と仕切部材33に隣接する図面上の上側２本の毛体が存在する部分との毛体の密度は、図面上の上側に位置するそれ以外の部分の毛体の密度と比較して高いと認められる。
　したがって、当該事項と記載事項（ウ）の記載とを併せてみて、軸体11は、「ブラシ要素に毛体を押し退けるように進入して、進入部分に近い前記ブラシ要素の毛体部分を高密度となし、進入部分から離れた前記毛体部分は低密度となす仕切部材32，33を一体的に設けている」と認められる。
　
　以上から、刊行物１には、次の発明が記載されている（以下、「引用発明」という。）。
　捩られた針金に固定された多数の毛体が、針金周囲に放射状に伸びるブラシ要素を有するブラシ12と、前記ブラシ要素に毛体を押し退けるように進入して、進入部分に近い前記ブラシ要素の毛体部分を高密度となし、進入部分から離れた前記毛体部分は低密度となす仕切部材32，33を一体的に設けた軸体11とを備えるマスカラ塗布具。
　
４　対比
　本願発明と引用発明とを対比すると、その構造または機能からみて、引用発明の「針金」は、本願発明の「芯材」に相当し、以下同様に、「毛体」は「毛材」に、「ブラシ要素」は「ブラシ部」に、「ブラシ12」は「ブラシ本体」に、「仕切部材32，33」は「進入部材」に、「軸体11」は「支持軸」に、「マスカラ塗布具」は「塗布用ねじりブラシ」に、それぞれ相当する。
　また、引用発明の「捩られた針金に固定された多数の毛体が、針金周囲に放射状に伸びるブラシ要素を有するブラシ12」と本願発明の「ねじられた芯材に保持された多数の毛材が、芯材周囲に放射状に突出するブラシ部を前端側に設けたブラシ本体」とは、「ねじられた芯材に保持された多数の毛材が、芯材周囲に放射状に突出するブラシ部を設けたブラシ本体」である限りにおいて一致する。
　また、引用発明の「前記ブラシ要素に毛体を押し退けるように進入して、進入部分に近い前記ブラシ要素の毛体部分を高密度となし、進入部分から離れた前記毛体部分は低密度となす仕切部材32，33を一体的に設けた軸体11」と本願発明の「前記ブラシ部に毛材を押し退けるように進入して、進入部分に近い前記ブラシ部の毛材部分を高密度となし、進入部分から離れた前記毛材部分は低密度となす進入部材を一体的に設けた、芯材を支持する支持軸」とは、「前記ブラシ部に毛材を押し退けるように進入して、進入部分に近い前記ブラシ部の毛材部分を高密度となし、進入部分から離れた前記毛材部分は低密度となす進入部材を一体的に設けた支持軸」である限りにおいて一致する。
　
　以上から、本願発明と引用発明とは、「ねじられた芯材に保持された多数の毛材が、芯材周囲に放射状に突出するブラシ部を設けたブラシ本体と、前記ブラシ部に毛材を押し退けるように進入して、進入部分に近い前記ブラシ部の毛材部分を高密度となし、進入部分から離れた前記毛材部分は低密度となす進入部材を一体的に設けた支持軸とから構成した塗布用ねじりブラシ。」である点で一致し、次の点で相違する。
　
（相違点）
　芯材周囲に放射状に突出するブラシ部を設けたブラシ本体と支持軸に関し、本願発明は、芯材周囲に放射状に突出するブラシ部を前端側に設けたブラシ本体と芯材を支持する支持軸を有するのに対し、引用発明は、ブラシ本体と支持軸がそれらの構成を有するかどうか不明である点。
　
５　判断
　上記相違点について検討する。
　一般的にみて、塗布用ねじりブラシのブラシ本体と支持軸について、芯材周囲に放射状に突出するブラシ部を前端側に設けたブラシ本体と芯材を支持する支持軸とすることは周知である（必要であれば、特開２００１−８７２８号公報、または、特開平６−２３７８１８号公報を参照。）。
　したがって、引用発明において、芯材周囲に放射状に突出するブラシ部を設けたブラシ本体と支持軸に関し、芯材周囲に放射状に突出するブラシ部を前端側に設けたブラシ本体と芯材を支持する支持軸とすることは当業者が容易になし得る程度の事項にすぎない。
　
　また、上記３に記載したとおり、引用発明は、「前記ブラシ要素に毛体を押し退けるように進入して、進入部分に近い前記ブラシ要素の毛体部分を高密度となし、進入部分から離れた前記毛体部分は低密度となす仕切部材32，33」との構成を有するから、本願発明の「前記ブラシ部に毛材を押し退けるように進入して、進入部分に近い前記ブラシ部の毛材部分を高密度となし、進入部分から離れた前記毛材部分は低密度となす進入部材」に相当する構成を有し、その点において本願発明と相違しないと認められるが、仮に、引用発明が当該構成を有するものであるかどうか不明であって、その点において、本願発明と相違するとしても、刊行物１には「中心から外方へ放射状に伸びる毛体について、仕切部材32に隣接する図面上の上側２本の毛体と、仕切部材33に隣接する図面上の上側２本の毛体がそれぞれ外方へ伸びるにつれて上方に向かう湾曲形状であること、及び、残りの毛体は直線形状である」（上記３の図示内容（オ）を参照。）ことが記載されているから、当該記載に基づき、引用発明の毛体及び仕切部材32，33について「前記ブラシ要素に毛体を押し退けるように進入して、進入部分に近い前記ブラシ要素の毛体部分を高密度となし、進入部分から離れた前記毛体部分は低密度となす仕切部材32，33」との構成とすることは当業者が適宜なし得る程度の事項にすぎない。
　
　そして、本願発明による効果も、引用発明及び周知技術から当業者が予測し得た程度のものであって、格別のものとはいえない。
　
　したがって、本願発明は、引用発明及び周知技術に基づいて、当業者が容易に発明をすることができたものである。
　
６　むすび
　以上のとおり、本願発明は、引用発明及び周知技術に基づいて、当業者が容易に発明をすることができたものであるから、特許法第２９条第２項の規定により、特許を受けることができない。
　よって、結論のとおり審決する。